(57)【要約】    【課題】      ＩＰ電話装置において、発信者情報からオンネット通信にもオフネット通信にも発信可能な着信履歴を作成すること。    【解決手段】  異なるグループ網や公衆回線網へ発信するオフネット発信の際に特定の発信プレフィックス番号”０”を付加してダイアルするＩＰ電話装置１０１〜１０６において、発信側装置から発信者番号を受信し、この発信者番号から発信側装置が同一グループ網外に設置されていることを検出すると、発信者番号の先頭に発信プレフィックス番号”０”を付与して着信履歴データを作成する。  【選択図】      図１
2005191730.tif 000002
【特許請求の範囲】
【請求項１】
異なるグループ網や公衆回線網へ発信するオフネット発信の際に特定の発信プレフィックス番号を付加してダイアルするＩＰ電話装置において、発信側装置から発信者番号を受信し、この発信者番号から発信側装置が同一グループ網外に設置されていることを検出すると前記発信者番号の先頭に前記発信プレフィックス番号を付与して着信履歴データを作成することを特徴とする着信履歴作成方法。
【請求項２】
異なるグループ網や公衆回線網へ発信するオフネット発信の際に特定の発信プレフィックス番号を付加してダイアルするＩＰ電話装置において、発信側装置から発信者番号を受信し、この発信者番号から発信側装置が同一グループ網外で、かつ、同一市内に設置されていることを検出すると前記発信者番号から市外局番を削除すると共に先頭に前記発信プレフィックス番号を付与して着信履歴データを作成することを特徴とする着信履歴作成方法。
【請求項３】
異なるグループ網や公衆回線網へ発信するオフネット発信の際に特定の発信プレフィックス番号を付加してダイアルするＩＰ電話装置において、発信側装置から発信者番号を受信し、この発信者番号から発信側装置が同一グループ網内に設置されていることを検出すると前記発信者番号を着信履歴データとすることを特徴とする着信履歴作成方法。
【請求項４】
異なるグループ網や公衆回線網へ発信するオフネット発信の際に特定の発信プレフィックス番号を付加してダイアルするＩＰ電話装置において、発信側装置から発信者番号を受信し、この発信者番号から発信側装置が同一グループ網内で、かつ、同一拠点内に設置されていることを検出すると前記発信者番号から拠点番号を削除して着信履歴データを作成することを特徴とする着信履歴作成方法。
【請求項５】
異なるグループ網や公衆回線網へ発信するオフネット発信の際に特定の発信プレフィックス番号を付加してダイアルするＩＰ電話装置において、発信側装置から発信者番号を受信し、この発信者番号から発信側装置が同一グループ網外に設置されていることを検出すると前記発信者番号の先頭に前記発信プレフィックス番号を付与して着信履歴データを作成し、当該着信履歴データと予め登録された電話帳データとを照合し、一致する電話帳データがあれば当該電話帳データに対応して登録された電話帳登録名を当該着信履歴データの一部に追加することを特徴とする着信履歴作成方法。
【請求項６】
異なるグループ網や公衆回線網へ発信するオフネット発信の際に特定の発信プレフィックス番号を付加してダイアルするＩＰ電話装置において、発信側装置から発信者番号を受信し、この発信者番号から発信側装置が同一グループ網外で、かつ、同一市内に設置されていることを検出すると前記発信者番号から市外局番を削除すると共に先頭に前記発信プレフィックス番号を付与して着信履歴データを作成し、当該着信履歴データと予め登録された電話帳データとを照合し、一致する電話帳データがあれば当該電話帳データに対応して登録された電話帳登録名を当該着信履歴データの一部に追加することを特徴とする着信履歴作成方法。
【請求項７】
異なるグループ網や公衆回線網へ発信するオフネット発信の際に特定の発信プレフィックス番号を付加してダイアルするＩＰ電話装置において、発信側装置から発信者番号を受信し、この発信者番号から発信側装置が同一グループ網内に設置されていることを検出すると前記発信者番号を着信履歴データとし、当該着信履歴データと予め登録された電話帳データとを照合し、一致する電話帳データがあれば当該電話帳データに対応して登録された電話帳登録名を当該着信履歴データの一部に追加することを特徴とする着信履歴作成方法。
【請求項８】
異なるグループ網や公衆回線網へ発信するオフネット発信の際に特定の発信プレフィックス番号を付加してダイアルするＩＰ電話装置において、発信側装置から発信者番号を受信し、この発信者番号から発信側装置が同一グループ網内で、かつ、同一拠点内に設置されていることを検出すると前記発信者番号から拠点番号を削除して着信履歴データを作成し、当該着信履歴データと予め登録された電話帳データとを照合し、一致する電話帳データがあれば当該電話帳データに対応して登録された電話帳登録名を当該着信履歴データの一部に追加することを特徴とする着信履歴作成方法。
【請求項９】
前記電話帳データに一致するものがなく発信側装置が同一市内に設置されていることを検出すると前記着信履歴データから市外局番を削除し、削除後の着信履歴データと前記電話帳データとを再度照合し、一致した電話帳データがあれば当該電話帳登録名を当該着信履歴データの一部に追加することを特徴とする請求項５記載の着信履歴作成方法。
【請求項１０】
前記電話帳データに一致するものがなく発信側装置が同一拠点内に設置されていることを検出すると前記着信履歴データから拠点番号を削除し、削除後の着信履歴データと前記電話帳データとを再度照合し、一致した電話帳データがあれば当該電話帳登録名を当該着信履歴データの一部に追加することを特徴とする請求項７記載の着信履歴作成方法。
【請求項１１】
前記着信履歴データの一部に着信日時を追加することを特徴とする請求項１から請求項１０のいずれかに記載の着信履歴作成方法。
【請求項１２】
着信時に、前記電話帳データに一致するものがある場合は前記電話帳登録名を含む前記着信履歴データを前記ＩＰ電話装置の表示部に表示する一方、一致するものがない場合は前記発信者番号を表示することを特徴とする請求項５から請求項８のいずれかに記載の着信履歴作成方法。
【請求項１３】
異なるグループ網や公衆回線網へ発信するオフネット発信の際に特定の発信プレフィックス番号を付加してダイアルするＩＰ電話装置において、発信側装置から発信者番号を受信する受信手段と、受信した発信者番号から発信側装置が同一グループ網外に設置されていることを検出すると前記発信者番号の先頭に前記発信プレフィックス番号を付与して着信履歴データを作成する作成手段と、を具備することを特徴とするＩＰ電話装置。
【請求項１４】
異なるグループ網や公衆回線網へ発信するオフネット発信の際に特定の発信プレフィックス番号を付加してダイアルするＩＰ電話装置において、発信側装置から発信者番号を受信する受信手段と、受信した発信者番号から発信側装置が同一グループ網外で、かつ、同一市内に設置されていることを検出すると前記発信者番号から市外局番を削除すると共に先頭に前記発信プレフィックス番号を付与して着信履歴データを作成する作成手段と、を具備することを特徴とするＩＰ電話装置。
【請求項１５】
異なるグループ網や公衆回線網へ発信するオフネット発信の際に特定の発信プレフィックス番号を付加してダイアルするＩＰ電話装置において、発信側装置から発信者番号を受信する受信手段と、受信した発信者番号から発信側装置が同一グループ網内に設置されていることを検出すると前記発信者番号を着信履歴データとする作成手段と、を具備することを特徴とするＩＰ電話装置。
【請求項１６】
異なるグループ網や公衆回線網へ発信するオフネット発信の際に特定の発信プレフィックス番号を付加してダイアルするＩＰ電話装置において、発信側装置から発信者番号を受信する受信手段と、受信した発信者番号から発信側装置が同一グループ網内で、かつ、同一拠点内に設置されていることを検出すると前記発信者番号から拠点番号を削除して着信履歴データを作成する作成手段と、を具備することを特徴とするＩＰ電話装置。
【請求項１７】
前記作成手段は、前記着信履歴データと予め登録された電話帳データとを照合し、一致する電話帳データがあれば当該電話帳データに対応して登録された電話帳登録名を当該着信履歴データの一部に追加することを特徴とする請求項１３から請求項１６のいずれかに記載のＩＰ電話装置。
【請求項１８】
着信時に、前記電話帳データに一致するものがある場合は前記電話帳登録名を含む前記着信履歴データを前記ＩＰ電話装置の表示部に表示する一方、一致するものがない場合は前記発信者番号を表示する表示手段を具備することを特徴とする請求項１７記載のＩＰ電話装置。
【発明の詳細な説明】
【技術分野】
【０００１】
本発明は、着信時の発信者情報から着信履歴を作成する着信履歴作成方法及びＩＰ電話装置に関する。
【背景技術】
【０００２】
従来、アナログ電話装置において発信者番号から電話帳データを検索し、電話帳データに一致するものがあれば、電話帳に登録された氏名を着信履歴として記憶し、電話帳データに一致するものがなければ、そのまま発信者番号を着信履歴として記憶するものがあった（例えば、特許文献１参照）。
【特許文献１】特開２００１−７７９１０号公報
【発明の開示】
【発明が解決しようとする課題】
【０００３】
しかしながら、上記従来の技術においては、以下のような問題が生ずる。
【０００４】
即ち、従来の技術は公衆電話回線網だけを使用するアナログ電話装置にのみ適用することが可能であり、同一ＩＰ−グループ内のオンネット通信や異なるＩＰ−グループへのオフネット通信や公衆電話回線網に接続される電話装置とのオフネット通信などにより発信方法が異なるＩＰ電話装置には適用することができないという問題がある。
【０００５】
本発明は、かかる問題点に鑑みて為されたものであり、ＩＰ電話装置において、発信者情報からオンネット通信にもオフネット通信にも発信可能な着信履歴を作成することができる着信履歴作成方法及びＩＰ電話装置を提供することを目的とする。
【課題を解決するための手段】
【０００６】
本発明は、異なるグループ網や公衆回線網へ発信するオフネット発信の際に特定の発信プレフィックス番号を付加してダイアルするＩＰ電話装置において、発信側装置から発信者番号を受信し、この発信者番号から発信側装置が同一グループ網外に設置されていることを検出すると前記発信者番号の先頭に前記発信プレフィックス番号を付与して着信履歴データを作成するようにしたものである。
【発明の効果】
【０００７】
本発明に係る着信履歴作成方法及びＩＰ電話装置によれば、ＩＰ電話装置において、発信者情報からオンネット通信にもオフネット通信にも発信可能な着信履歴を作成することができる。
【発明を実施するための最良の形態】
【０００８】
本発明の第１の態様に係る着信履歴作成方法は、異なるグループ網や公衆回線網へ発信するオフネット発信の際に特定の発信プレフィックス番号を付加してダイアルするＩＰ電話装置において、発信側装置から発信者番号を受信し、この発信者番号から発信側装置が同一グループ網外に設置されていることを検出すると前記発信者番号の先頭に前記発信プレフィックス番号を付与して着信履歴データを作成するものである。
【０００９】
この方法によれば、発信者番号から発信側装置が同一グループ網外に設置されていることを検出すると、発信者番号の先頭に発信プレフィックス番号を付与して着信履歴データを作成するので、オフネット発信の際に特定の発信プレフィックス番号を付加してダイアルするＩＰ電話装置においても、発信可能な着信履歴を作成することができる。
【００１０】
本発明の第２の態様に係る着信履歴作成方法は、異なるグループ網や公衆回線網へ発信するオフネット発信の際に特定の発信プレフィックス番号を付加してダイアルするＩＰ電話装置において、発信側装置から発信者番号を受信し、この発信者番号から発信側装置が同一グループ網外で、かつ、同一市内に設置されていることを検出すると前記発信者番号から市外局番を削除すると共に先頭に前記発信プレフィックス番号を付与して着信履歴データを作成するものである。
【００１１】
この方法によれば、発信者番号から発信側装置が同一グループ網外で、かつ、同一市内に設置されていることを検出すると、発信者番号から市外局番を削除すると共に先頭に発信プレフィックス番号を付与して着信履歴データを作成するので、オフネット発信の際に特定の発信プレフィックス番号を付加してダイアルするＩＰ電話装置において、同一市内の発信先に対して市外局番を省略して発信可能な着信履歴を作成することができる。
【００１２】
本発明の第３の態様に係る着信履歴作成方法は、異なるグループ網や公衆回線網へ発信するオフネット発信の際に特定の発信プレフィックス番号を付加してダイアルするＩＰ電話装置において、発信側装置から発信者番号を受信し、この発信者番号から発信側装置が同一グループ網内に設置されていることを検出すると前記発信者番号を着信履歴データとするものである。
【００１３】
この方法によれば、発信者番号から発信側装置が同一グループ網内に設置されていることを検出すると、発信者番号を着信履歴データとするので、オンネット発信の際にはそのままダイアルするＩＰ電話装置においても、発信可能な着信履歴を作成することができる。
【００１４】
本発明の第４の態様に係る着信履歴作成方法は、異なるグループ網や公衆回線網へ発信するオフネット発信の際に特定の発信プレフィックス番号を付加してダイアルするＩＰ電話装置において、発信側装置から発信者番号を受信し、この発信者番号から発信側装置が同一グループ網内で、かつ、同一拠点内に設置されていることを検出すると前記発信者番号から拠点番号を削除して着信履歴データを作成するものである。
【００１５】
この方法によれば、発信者番号から発信側装置が同一グループ網内で、かつ、同一拠点内に設置されていることを検出すると、発信者番号から拠点番号を削除して着信履歴データを作成するので、オンネット発信の際にはそのままダイアルするとＩＰ電話装置において、同一拠点の発信先に拠点番号を省略して発信可能な着信履歴を作成することができる。
【００１６】
本発明の第５の態様に係る着信履歴作成方法は、異なるグループ網や公衆回線網へ発信するオフネット発信の際に特定の発信プレフィックス番号を付加してダイアルするＩＰ電話装置において、発信側装置から発信者番号を受信し、この発信者番号から発信側装置が同一グループ網外に設置されていることを検出すると前記発信者番号の先頭に前記発信プレフィックス番号を付与して着信履歴データを作成し、当該着信履歴データと予め登録された電話帳データとを照合し、一致する電話帳データがあれば当該電話帳データに対応して登録された電話帳登録名を当該着信履歴データの一部に追加するものである。
【００１７】
この方法によれば、発信者番号から発信側装置が同一グループ網外に設置されていることを検出すると、発信者番号の先頭に発信プレフィックス番号を付与して着信履歴データを作成するので、オフネット発信の際に特定の発信プレフィックス番号を付加してダイアルするＩＰ電話装置においても、発信可能な着信履歴を作成することができる。
【００１８】
また、着信履歴データと予め登録された電話帳データとを照合し、一致する電話帳データがあれば、当該電話帳データに対応して登録された電話帳登録名を当該着信履歴データの一部に追加するので、着信履歴を利用して発信する際、電話登録名を確認しながら発信することができる。
【００１９】
本発明の第６の態様に係る着信履歴作成方法は、異なるグループ網や公衆回線網へ発信するオフネット発信の際に特定の発信プレフィックス番号を付加してダイアルするＩＰ電話装置において、発信側装置から発信者番号を受信し、この発信者番号から発信側装置が同一グループ網外で、かつ、同一市内に設置されていることを検出すると前記発信者番号から市外局番を削除すると共に先頭に前記発信プレフィックス番号を付与して着信履歴データを作成し、当該着信履歴データと予め登録された電話帳データとを照合し、一致する電話帳データがあれば当該電話帳データに対応して登録された電話帳登録名を当該着信履歴データの一部に追加するものである。
【００２０】
この方法によれば、発信者番号から発信側装置が同一グループ網外で、かつ、同一市内に設置されていることを検出すると、発信者番号から市外局番を削除すると共に先頭に発信プレフィックス番号を付与して着信履歴データを作成するので、オフネット発信の際に特定の発信プレフィックス番号を付加してダイアルするＩＰ電話装置において、同一市内の発信先に対して市外局番を省略して発信可能な着信履歴を作成することができる。
【００２１】
また、着信履歴データと予め登録された電話帳データとを照合し、一致する電話帳データがあれば、該電話帳データに対応して登録された電話帳登録名を当該着信履歴データの一部に追加するので、着信履歴を利用して発信する際、電話登録名を確認しながら発信することができる。
【００２２】
本発明の第７の態様に係る着信履歴作成方法は、異なるグループ網や公衆回線網へ発信するオフネット発信の際に特定の発信プレフィックス番号を付加してダイアルするＩＰ電話装置において、発信側装置から発信者番号を受信し、この発信者番号から発信側装置が同一グループ網内に設置されていることを検出すると前記発信者番号を着信履歴データとし、当該着信履歴データと予め登録された電話帳データとを照合し、一致する電話帳データがあれば当該電話帳データに対応して登録された電話帳登録名を当該着信履歴データの一部に追加するものである。
【００２３】
この方法によれば、発信者番号から発信側装置が同一グループ網内に設置されていることを検出すると、発信者番号を着信履歴データとするので、オンネット発信の際にはそのままダイアルするＩＰ電話装置においても、発信可能な着信履歴を作成することができる。
【００２４】
また、着信履歴データと予め登録された電話帳データとを照合し、一致する電話帳データがあれば、該電話帳データに対応して登録された電話帳登録名を当該着信履歴データの一部に追加するので、着信履歴を利用して発信する際、電話登録名を確認しながら発信することができる。
【００２５】
本発明の第８の態様に係る着信履歴作成方法は、異なるグループ網や公衆回線網へ発信するオフネット発信の際に特定の発信プレフィックス番号を付加してダイアルするＩＰ電話装置において、発信側装置から発信者番号を受信し、この発信者番号から発信側装置が同一グループ網内で、かつ、同一拠点内に設置されていることを検出すると前記発信者番号から拠点番号を削除して着信履歴データを作成し、当該着信履歴データと予め登録された電話帳データとを照合し、一致する電話帳データがあれば当該電話帳データに対応して登録された電話帳登録名を当該着信履歴データの一部に追加するものである。
【００２６】
この方法によれば、発信者番号から発信側装置が同一グループ網内で、かつ、同一拠点内に設置されていることを検出すると、発信者番号から拠点番号を削除して着信履歴データを作成するので、オンネット発信の際にはそのままダイアルするＩＰ電話装置において、同一拠点の発信先に拠点番号を省略して発信可能な着信履歴を作成することができる。
【００２７】
また、着信履歴データと予め登録された電話帳データとを照合し、一致する電話帳データがあれば当該電話帳データに対応して登録された電話帳登録名を当該着信履歴データの一部に追加するので、着信履歴を利用して発信する際、電話登録名を確認しながら発信することができる。
【００２８】
本発明の第９の態様は、第５の態様に係る着信履歴作成方法において、前記電話帳データに一致するものがなく発信側装置が同一市内に設置されていることを検出すると前記着信履歴データから市外局番を削除し、削除後の着信履歴データと前記電話帳データとを再度照合し、一致した電話帳データがあれば当該電話帳登録名を当該着信履歴データの一部に追加するものである。
【００２９】
この方法によれば、市外局番を有する着信履歴データに対応する電話登録名がない場合においても、市外局番を削除した着信履歴データに対応する電話帳登録名がある場合に、電話帳登録名を当該着信履歴データの一部に追加するので、着信履歴を利用して発信する際、電話登録名を確認しながら発信することができる。
【００３０】
本発明の第１０の態様は、第７の態様に係る着信履歴作成方法において、前記電話帳データに一致するものがなく発信側装置が同一拠点内に設置されていることを検出すると前記着信履歴データから拠点番号を削除し、削除後の着信履歴データと前記電話帳データとを再度照合し、一致した電話帳データがあれば当該電話帳登録名を当該着信履歴データの一部に追加するものである。
【００３１】
この方法によれば、拠点番号を有する着信履歴データに対応する電話登録名がない場合においても、拠点番号を削除した着信履歴データに対応する電話帳登録名がある場合に、電話帳登録名を当該着信履歴データの一部に追加するので、着信履歴を利用して発信する際、電話登録名を確認しながら発信することができる。
【００３２】
本発明の第１１の態様は、第１から第１０のいずれかの態様に係る着信履歴作成方法において、前記着信履歴データの一部に着信日時を追加するものである。
【００３３】
この方法によれば、着信日時が着信履歴データの一部に追加されるので、着信履歴を利用して発信する際、着信日時を確認しながら発信することができる。
【００３４】
本発明の第１２の態様は、第５から第８のいずれかの態様に係る着信履歴作成方法において、着信時に、前記電話帳データに一致するものがある場合は前記電話帳登録名を含む前記着信履歴データを前記ＩＰ電話装置の表示部に表示する一方、一致するものがない場合は前記発信者番号を表示するものである。
【００３５】
この方法によれば、着信時に、電話帳データに一致するものがある場合は電話帳登録名を含む着信履歴データをＩＰ電話装置の表示部に表示する一方、一致するものがない場合は発信者番号を表示するので、電話帳データが登録されている発信先からの着信であるか否かを一見して判断することができる。
【００３６】
本発明の第１３の態様に係るＩＰ電話装置は、異なるグループ網や公衆回線網へ発信するオフネット発信の際に特定の発信プレフィックス番号を付加してダイアルするＩＰ電話装置において、発信側装置から発信者番号を受信する受信手段と、受信した発信者番号から発信側装置が同一グループ網外に設置されていることを検出すると前記発信者番号の先頭に前記発信プレフィックス番号を付与して着信履歴データを作成する作成手段と、を具備する構成を採る。
【００３７】
この構成によれば、発信者番号から発信側装置が同一グループ網外に設置されていることを検出すると、発信者番号の先頭に発信プレフィックス番号を付与して着信履歴データを作成するので、オフネット発信の際に特定の発信プレフィックス番号を付加してダイアルするＩＰ電話装置においても、発信可能な着信履歴を作成することができる。
【００３８】
本発明の第１４の態様に係るＩＰ電話装置は、異なるグループ網や公衆回線網へ発信するオフネット発信の際に特定の発信プレフィックス番号を付加してダイアルするＩＰ電話装置において、発信側装置から発信者番号を受信する受信手段と、受信した発信者番号から発信側装置が同一グループ網外で、かつ、同一市内に設置されていることを検出すると前記発信者番号から市外局番を削除すると共に先頭に前記発信プレフィックス番号を付与して着信履歴データを作成する作成手段と、を具備する構成を採る。
【００３９】
この構成によれば、発信者番号から発信側装置が同一グループ網外で、かつ、同一市内に設置されていることを検出すると、発信者番号から市外局番を削除すると共に先頭に発信プレフィックス番号を付与して着信履歴データを作成するので、オフネット発信の際に特定の発信プレフィックス番号を付加してダイアルするＩＰ電話装置において、同一市内の発信先に対して市外局番を省略して発信可能な着信履歴を作成することができる。
【００４０】
本発明の第１５の態様に係るＩＰ電話装置は、異なるグループ網や公衆回線網へ発信するオフネット発信の際に特定の発信プレフィックス番号を付加してダイアルするＩＰ電話装置において、発信側装置から発信者番号を受信する受信手段と、受信した発信者番号から発信側装置が同一グループ網内に設置されていることを検出すると前記発信者番号を着信履歴データとする作成手段と、を具備する構成を採る。
【００４１】
この構成によれば、発信者番号から発信側装置が同一グループ網内に設置されていることを検出すると、発信者番号を着信履歴データとするので、オンネット発信の際にはそのままダイアルするＩＰ電話装置においても、発信可能な着信履歴を作成することができる。
【００４２】
本発明の第１６の態様に係るＩＰ電話装置は、異なるグループ網や公衆回線網へ発信するオフネット発信の際に特定の発信プレフィックス番号を付加してダイアルするＩＰ電話装置において、発信側装置から発信者番号を受信する受信手段と、受信した発信者番号から発信側装置が同一グループ網内で、かつ、同一拠点内に設置されていることを検出すると前記発信者番号から拠点番号を削除して着信履歴データを作成する作成手段と、を具備する構成を採る。
【００４３】
この構成によれば、発信者番号から発信側装置が同一グループ網内で、かつ、同一拠点内に設置されていることを検出すると、発信者番号から拠点番号を削除して着信履歴データを作成するので、オンネット発信の際にはそのままダイアルするＩＰ電話装置において、同一拠点の発信先に拠点番号を省略して発信可能な着信履歴を作成することができる。
【００４４】
本発明の第１７の態様は、第１３から第１６のいずれかの態様に係るＩＰ電話装置において、前記作成手段は、前記着信履歴データと予め登録された電話帳データとを照合し、一致する電話帳データがあれば当該電話帳データに対応して登録された電話帳登録名を当該着信履歴データの一部に追加する構成を採る。
【００４５】
この構成によれば、着信履歴データと予め登録された電話帳データとを照合し、一致する電話帳データがあれば、当該電話帳データに対応して登録された電話帳登録名を当該着信履歴データの一部に追加するので、着信履歴を利用して発信する際、電話登録名を確認しながら発信することができる。
【００４６】
本発明の第１８の態様は、第１７の態様に係るＩＰ電話装置において、着信時に、前記電話帳データに一致するものがある場合は前記電話帳登録名を含む前記着信履歴データを前記ＩＰ電話装置の表示部に表示する一方、一致するものがない場合は前記発信者番号を表示する表示手段を具備する構成を採る。
【００４７】
この構成によれば、着信時に、電話帳データに一致するものがある場合は電話帳登録名を含む着信履歴データを表示手段が表示する一方、一致するものがない場合は発信者番号を表示するので、電話帳データが登録されている発信先からの着信であるか否かを一見して判断することができる。
【００４８】
以下、本発明の実施の形態について、図面を参照して詳細に説明する。
【００４９】
図１は、本発明の一実施の形態に係るＩＰ電話装置（以下、「ＩＰ電話」という）が適用されるＩＰ電話システムのネットワークの構成を示す図である。
【００５０】
本実施の形態に係るＩＰ電話１０１〜１０６は、例えば、企業内に構築されたＷＡＮ（Wide Area Network）１０７の一部を構成するＬＡＮ(Local Area Network)１０８に接続されている。ＷＡＮ１０７は、ゲートウェイ１０９を介して公衆電話交換網（ＰＳＴＮ:Public Switched Telephone Network）１１０に接続されている。
【００５１】
なお、ここでは、本実施の形態に係るＩＰ電話１０１〜１０６が接続されるネットワークとしてＷＡＮ１０７を用いて説明するが、これに限定されず、企業内における一定のセキュリティが維持されたネットワークであれば、いかなるネットワークにも適用することが可能である。
【００５２】
ＩＰ電話１０１〜１０６は、ＬＡＮ１０８における拠点１〜３に割り振られている。各拠点１〜３は、例えば、企業内における部署に対応して設けられている。以下の説明においては、ＩＰ電話１０１及び１０２が拠点１に割り振られ、ＩＰ電話１０３及び１０４が拠点２に割り振られ、ＩＰ電話１０５及び１０６が拠点３に割り振られているものとする。
【００５３】
ＬＡＮ１０８に接続されたＩＰ電話１０１〜１０６には、内線番号が割り当てられている。ＩＰ電話１０１〜１０６には内線番号として、それぞれ”２０１”〜”２０６”が割り当てられている。一方、各拠点には、拠点番号が割り当てられている。拠点１〜３には拠点番号として、それぞれ”９０１”〜”９０３”が割り当てられている。
【００５４】
ＬＡＮ１０８上のＩＰ電話から、ＬＡＮ１０８上の他のＩＰ電話に対して発呼する場合には、拠点番号と内線番号とを組み合わせて発呼することができる。なお、本ＩＰ電話システムにおいては、拠点が同一の場合には拠点番号を省略して内線番号のみで発呼することができる。一方、拠点が異なる場合には内線番号の前に拠点番号を付加することで発呼することができる。
【００５５】
ＬＡＮ１０８上のＩＰ電話から、ＷＡＮ１０７が接続されるＰＳＴＮ１１０上に存在する電話装置（以下、「外部電話」という）１１１及び１１２に発呼する場合には、当該外部電話に割り当てられた電話番号で発呼する。なお、この場合、本ＩＰ電話システムにおいては、電話番号の前に”０”を付加して発呼動作を行う。この電話番号の前に付加される”０”を発信プレフィックス番号という。
【００５６】
なお、外部電話１１１は、本ＩＰ電話システムが設置されている区画と異なる区画（市外）に設置され、電話番号として”０６−９８７６５４３２”が割り当てられているものとする。外部電話１１２は、本ＩＰ電話システムと同一の区画（市内）に設置され、電話番号として”０３−１２３４５６７８”が割り当てられているものとする。本ＩＰ電話システムにおいては、同一区画に設置された外部電話１１２に発呼する場合には市外局番（０３）を省略して発呼することができる。
【００５７】
ＬＡＮ１０８上のＩＰ電話から、ＬＡＮ１０８上の他のＩＰ電話又は外部電話に対して発呼する場合、各ＩＰ電話１０１〜１０６は、ＶｏＩＰ（Voice over IP）サーバ１１３を介して発呼動作を行う。ＶｏＩＰサーバ１１３は、ＬＡＮ１０８を介して発呼元のＩＰ電話との通信を制御する一方、ＩＰネットワークを介して発呼先のＩＰ電話又は外部電話との通信を制御する。
【００５８】
図２は、本実施の形態に係るＩＰ電話との通信を制御するＶｏＩＰサーバ１１３の構成を示すブロック図である。
【００５９】
同図に示すように、ＶｏＩＰサーバ１１３は、ＬＡＮ制御部２０１、ＶｏＩＰプロトコル制御部２０２、ＶｏＩＰ接続制御部２０３及びメモリ２０４を備えている。
【００６０】
ＬＡＮ制御部２０１は、ＬＡＮ１０８を介して通信先のＩＰ電話との間の通信を制御する。ＶｏＩＰプロトコル制御部２０２は、通信データをＳＩＰ（Session Initiation Protocol）プロトコルに適合させるためのプロトコル変換処理を行う。ＶｏＩＰ接続制御部２０３は、通信先であるＩＰ電話又は外部電話との間の呼制御を行う。メモリ２０４は、ＶｏＩＰ接続制御部２０３が呼制御を行う際に用いる通信先の識別情報等を格納している。
【００６１】
図３は、本実施の形態に係るＩＰ電話１０１〜１０６の構成を示すブロック図である。ＩＰ電話１０１〜１０６は、同一の構成を有する。図３においては、説明の便宜上、ＩＰ電話１０２を代表例として説明する。
【００６２】
同図に示すように、ＩＰ電話１０２は、ＬＡＮ制御部３０１、ＶｏＩＰプロトコル制御部３０２、アプリケーション制御部３０３及びメモリ３０４を備える。ＬＡＮ制御部３０１は、ＬＡＮ１０８を介して通信先のＶｏＩＰサーバ１１３との間の通信を制御する。ＶｏＩＰプロトコル制御部３０２は、通信データをＳＩＰ（Session Initiation Protocol）プロトコルに適合させるためのプロトコル変換処理を行う。アプリケーション制御部３０３は、通信先であるＶｏＩＰサーバ１１３との間の呼制御を行う。メモリ３０４は、アプリケーション制御部３０３が呼制御を行う際に用いる通信先の識別情報等を格納している。また、メモリ３０４は、アプリケーション制御部３０３により発信処理を行う際に参照される、電話帳データが登録されるテーブル（以下、「電話帳登録テーブル」という）及び着信履歴データが登録されるテーブル（以下、「着信履歴登録テーブル」という）を格納している。この電話帳登録テーブル及び着信履歴登録テーブルについては後述する。
【００６３】
アプリケーション制御部３０３に音声制御部３０５、表示制御部３０６及びキー制御部３０７が接続されている。アプリケーション制御部３０３は、ＶｏＩＰプロトコル制御部３０２、並びに、音声制御部３０５、表示制御部３０６及びキー制御部３０７に指示を与え、後述する処理フローを実行する。
【００６４】
音声制御部３０５は、アプリケーション制御部３０３の指示の下、接続される音声入出力装置３０８における音声の出力又は入力を制御する。音声入出力装置３０８は、受話器を有し、使用者からの音声を受け付ける一方、使用者への音声を出力する。表示制御部３０６は、アプリケーション制御部３０３の指示の下、接続される表示部３０９における表示を制御する。表示部３０９は、現在のＩＰ電話１０２の状態や通信先の電話番号又は着信履歴等を表示する。キー制御部３０７は、接続されるキーパッド３１０からの入力を受け付ける。キーパッド３１０は、ダイアルキー及び機能キーなどの使用者が指示入力するキーを備える。
【００６５】
図４は、本実施の形態に係るＩＰ電話１０２のメモリ３０４に格納される電話帳登録テーブル内の電話帳データの一例を示す図である。
【００６６】
電話帳登録テーブル内の各電話帳データは、電話帳番号と電話帳名称とを有する。電話帳番号は、実際にＩＰ電話１０２が発信する際に入力される電話番号である。したがって、同一拠点の発信先の場合には拠点番号を省略でき、異なる拠点の発信先の場合には拠点番号と内線番号の組合せが登録される。また、発信先が外部電話である場合には、その電話番号の前に発信プレフィックス番号”０”が登録される。同一市内の外部電話の場合には市外局番を省略でき、市外の外部電話の場合には市外局番と電話番号の組合せが登録される。
【００６７】
図４においては、１から７の電話帳データが登録されている。具体的には、同一拠点のＩＰ電話１０１、他拠点のＩＰ電話１０３〜１０６、市内の外部電話１１２及び市外の外部電話１１１に対応する電話帳データが登録されている。
【００６８】
同図に示すように、ＩＰ電話１０１に対応する電話帳データでは、電話帳番号１として「２０１」が登録され、拠点番号が省略されている。また、ＩＰ電話１０３に対応する電話帳データでは、電話帳番号２として”９０２２０３”が登録され、拠点番号と内線番号の組合せが登録されている。さらに、外部電話１１２に対応する電話帳データでは、電話帳番号６として、”０１２３４５６７８”が登録され、市外局番（０３）が省略されると共に電話番号の先頭に”０”が登録されている。さらに、外部電話１１１に対応する電話帳データでは、電話帳番号７として”００６９８７６５４３２”が登録され、市外局番と電話番号の組合せが登録されると共に電話番号の先頭に”０”が登録されている。
【００６９】
このような構成を有し、本実施の形態に係るＩＰ電話は、ＬＡＮ１０８上の他のＩＰ電話又は外部電話から着信を受けると、その発信者情報から後述する所定の方式に従って電話番号を変換し、着信履歴を作成する処理（以下、「着信履歴作成処理」という）を行う。
【００７０】
以下、上記構成を有するＩＰ電話１０２がＬＡＮ１０８上のＩＰ電話１０１から着信を受けた場合の動作について説明する。ここでは、ＬＡＮ１０８上のＩＰ電話１０１から着信を受けた場合について説明するが、外部電話１１１等から着信を受けた場合も同様である。
【００７１】
図５は、本実施の形態に係るＩＰ電話１０２がＬＡＮ１０８上のＩＰ電話１０１から着信を受けた場合の動作について説明するためのシーケンス図である。なお、ＩＰ電話１０２のメモリ３０４には、図４に示す電話帳登録テーブルが格納されているものとする。
【００７２】
ＩＰ電話１０１の使用者がＩＰ電話１０２に対する発信を指示すると、ＳＩＰで規定されている”ＩＮＶＩＴＥリクエスト”がＶｏＩＰサーバ１１３に出力される。ＶｏＩＰサーバ１１３は、この”ＩＮＶＩＴＥリクエスト”を受け取ると、これを発信先であるＩＰ電話１０２に転送する。
【００７３】
図６は、ＩＰ電話１０１及びＶｏＩＰサーバ１１３が出力又は転送する”ＩＮＶＩＴＥリクエスト”のメッセージの構成を説明するための図である。なお、ここでは、ＩＰ電話１０１のアドレスとして”９０１２０１＠ｖｏｉｐ．ｎｅ．ｊｐ”が設定され、ＩＰ電話１０２のアドレスとして”９０１２０２＠ｖｏｉｐ．ｎｅ．ｊｐ”が設定され、ＶｏＩＰサーバ１１３のアドレスとして”ＵＤＰ＠ｖｏｉｐ．ｎｅ．ｊｐ”が設定されているものとする。
【００７４】
本実施の形態に係るＩＰ電話システムにおいては、各電話端末のアドレスとして、＠マークの前にその電話端末に割り当てられた電話番号を設定している。設定される電話番号は、拠点番号や市外局番など、上述の電話帳登録テーブル上で省略可能であった各種番号も省略されることなく設定される。例えば、ＩＰ電話１０１の場合には、拠点番号の”９０１”と内線番号の”２０１”が組み合わされた”９０１２０１”が設定されることとなる。
【００７５】
”ＩＮＶＩＴＥリクエスト”のメッセージにおいては、第１行目に示すように、発信先であるＩＰ電話１０２のアドレス”９０１２０２＠ｖｏｉｐ．ｎｅ．ｊｐ”が設定され、第２行目に示すように、ＶｏＩＰサーバ１１３のアドレス”ＵＤＰ＠ｖｏｉｐ．ｎｅ．ｊｐ”、ポート番号及びブランチ番号が設定されている。また、第３行目に示すように、”Ｆｒｏｍ”に発信元であるＩＰ電話１０１のアドレス”９０１２０１＠ｖｏｉｐ．ｎｅ．ｊｐ”が設定され、第４行目に示すように、”Ｔｏ”に発信先であるＩＰ電話１０２のアドレス”９０１２０２＠ｖｏｉｐ．ｎｅ．ｊｐ”が設定されている。下線部は、それぞれのＩＰ電話の電話番号を示している。
【００７６】
”ＩＮＶＩＴＥリクエスト”を受け取ると、ＩＰ電話１０２は、”ＩＮＶＩＴＥリクエスト”を受け取ったことを示す”ＡＣＫ”をＶｏＩＰサーバ１１３に出力する。ＶｏＩＰサーバ１１３は、この”ＡＣＫ”を受け取ると、発信元であるＩＰ電話１０１に転送する。
【００７７】
”ＡＣＫ”をＶｏＩＰサーバ１１３に出力した後、ＩＰ電話１０２は、発信元のＩＰ電話１０１の電話番号に基づいて着信履歴作成処理を行う。着信履歴作成処理を行った後、ＩＰ電話１０２は、”１８０Ｒｉｎｇｉｎｇレスポンス”をＶｏＩＰサーバ１１３に出力する。ＶｏＩＰサーバ１１３は、この”１８０Ｒｉｎｇｉｎｇレスポンス”を受け取ると、発信元であるＩＰ電話１０１に転送する。なお、着信履歴作成処理については後述する。
【００７８】
”１８０Ｒｉｎｇｉｎｇレスポンス”を受け取ると、ＩＰ電話１０１は、音声入出力装置３０８を用いて呼出音を鳴動する。一方、”１８０Ｒｉｎｇｉｎｇレスポンス”を出力した後、ＩＰ電話１０２は、音声入出力装置３０８を用いて着信音を鳴動する。そして、ＩＰ電話１０２の使用者がオフフック動作（応答）を行ったならば、ＩＰ電話１０２は、”２００ＯＫレスポンス”をＶｏＩＰサーバ１１３に出力する。ＶｏＩＰサーバ１１３は、この”２００ＯＫレスポンス”を受け取ると、発信元であるＩＰ電話１０１に転送する。
【００７９】
”２００ＯＫレスポンス”を受け取ると、ＩＰ電話１０１は、”２００ＯＫレスポンス”を受け取ったことを示す”ＡＣＫ”をＶｏＩＰサーバ１１３に出力する。ＶｏＩＰサーバ１１３は、この”ＡＣＫ”を受け取ると、発信先であるＩＰ電話１０２に転送する。
【００８０】
この”ＡＣＫ”を受け取ると、ＩＰ電話１０２は、音声入出力装置３０８をオン状態とする。これにより、ＩＰ電話１０１とＩＰ電話１０２との間の通常通話が可能となる。
【００８１】
ここで、着信を受けたＩＰ電話１０２における着信履歴作成処理について説明する。
【００８２】
図７は、本実施の形態に係るＩＰ電話装置１０２における着信履歴作成処理について説明するためのフロー図である。以下では、発信番号が”０３１２３４５６７８”であった場合と、発信番号が”９０１２０１”であった場合を例にして説明する。
【００８３】
まず、発信番号が”０３１２３４５６７８”であった場合について説明する。
【００８４】
着信履歴作成処理を行う際、ＩＰ電話１０２は、”ＩＮＶＩＴＥリクエスト”から発信番号を抽出し（ＳＴ７０１）、その先頭の番号が”０”であるか判断する（ＳＴ７０２）。ここで、先頭の番号が”０”であるかを判断するのは、発信元が外部電話であるかを判断するためである。ここでは、発信番号として”０３１２３４５６７８”が抽出されるので、先頭番号は”０”である。
【００８５】
先頭の番号が”０”であるならば、抽出した発信番号に発信プレフィックス番号”０”を付与する（ＳＴ７０３）。ここでは、発信番号として”０３１２３４５６７８”が抽出されるので、発信プレフィックス番号”０”を付与して”００３１２３４５６７８”とする。
【００８６】
そして、発信プレフィックス番号”０”を付与した”００３１２３４５６７８”で、電話帳登録テーブルに登録された電話帳データを検索し（ＳＴ７０４）、一致する電話帳データが存在するか判断する（ＳＴ７０５）。一致する電話帳データが存在する場合には、その電話帳データに対応する電話帳名称を表示部３０９に表示した後（ＳＴ７０６）、電話帳名称と発信プレフィックス番号”０”を付与した”００３１２３４５６７８”とを着信履歴データとして着信履歴登録テーブルに登録して（ＳＴ７０７）、処理を終了する。
【００８７】
図４に示す電話帳登録テーブルにおいては、発信番号”００３１２３４５６７８”と一致する電話帳データは存在しない。この場合、ＩＰ電話１０２は、抽出した発信番号の市外局番が同一であるか判断する（ＳＴ７０８）。”ＩＮＶＩＴＥリクエスト”から抽出した発信番号の市外局番”０３”は、ＩＰ電話１０２と同一である。
【００８８】
この場合、ＩＰ電話１０２は、市外局番を削除する（ＳＴ７０９）。削除することで、番号”０１２３４５６７８”を得る。そして、今度は、この番号”０１２３４５６７８”で、電話帳登録テーブルに登録された電話帳データを検索し（ＳＴ７１０）、一致する電話帳データが存在するか判断する（ＳＴ７１１）。一致する電話帳データが存在する場合には、上述の場合と同様に、その電話帳データに対応する電話帳名称を表示部３０９に表示した後（ＳＴ７０６）、電話帳名称と発信プレフィックス番号”０”を付加すると共に市外局番を削除した番号とを着信履歴データとして着信履歴登録テーブルに登録して（ＳＴ７０７）、処理を終了する。
【００８９】
図４に示す電話帳テーブルにおいては、”０１２３４５６７８”と一致する電話帳データが、「電話帳名称６：日本商事(株)」に登録されている。このため、ＩＰ電話１０２は、図８（ａ）に示すように、この電話帳名称である「日本商事(株)」を表示部３０９に表示した後、着信履歴を登録して処理を終了する（ＳＴ７０６、ＳＴ７０７）。
【００９０】
ＳＴ７０８で発信番号の市外局番が同一でない場合、あるいは、ＳＴ７１１で市外局番を削除した番号においても電話帳登録テーブルに一致する電話帳データが存在しない場合、ＩＰ電話１０２は、図８（ｂ）に示すように、”ＩＮＶＩＴＥリクエスト”から抽出した発信番号”０３１２３４５６７８”を表示部３０９に表示した後（ＳＴ７１２）、発信プレフィックス番号”０”を付加した番号を着信履歴データとして着信履歴登録テーブルに登録して（ＳＴ７０７）、処理を終了する。
【００９１】
なお、ここでは、表示部３０９に抽出した発信番号を表示する場合について説明しているが、これに限定されない。例えば、発信プレフィックス番号”０”を付与したり、市外局番や拠点番号を削除して作成した着信履歴データの番号を表示部３０９に表示するようにしてもよい。また、着信日時等を合わせて表示するなど、表示部３０９における表示は、使用者の利用方法に応じて任意に設定可能である。着信履歴データに着信日時を合わせて表示する場合には、着信履歴データを利用して発信する際、着信日時を確認しながら発信することができるという効果を奏する。
【００９２】
次に、発信番号が”９０１２０１”であった場合について説明する。
【００９３】
この場合においても、”ＩＮＶＩＴＥリクエスト”から発信番号を抽出し、その先頭の番号が”０”であるか判断するのは同様である（ＳＴ７０１、ＳＴ７０２）。ここでは、発信番号として”９０１２０１”が抽出されるので、先頭番号は”０”ではない。
【００９４】
先頭番号”０”でないならば、抽出した発信番号”９０１２０１”で、電話帳登録テーブルに登録された電話帳データを検索し（ＳＴ７１３）、一致する電話帳データが存在するか判断する（ＳＴ７１４）。一致する電話帳データが存在する場合には、その電話帳データに対応する電話帳名称を表示部３０９に表示した後（ＳＴ７１５）、電話帳名称と抽出した発信番号を着信履歴データとして着信履歴登録テーブルに登録して（ＳＴ７０７）、処理を終了する。
【００９５】
図４に示す電話帳登録テーブルにおいては、発信番号”９０１２０１”と一致する電話帳データは存在しない。この場合、ＩＰ電話１０２は、抽出した発信番号の拠点番号が同一であるか判断する（ＳＴ７１６）。抽出した発信番号の拠点番号”９０１”は、ＩＰ電話１０２と同一である。
【００９６】
この場合、ＩＰ電話１０２は、拠点番号を削除する（ＳＴ７１７）。削除することで、番号”２０１”を得る。そして、今度は、この番号”２０１”で、電話帳登録テーブルに登録された電話帳データを検索し（ＳＴ７１８）、一致する電話帳データが存在するか判断する（ＳＴ７１９）。一致する電話帳データが存在する場合には、上述の場合と同様に、その電話帳データに対応する電話帳名称を表示部３０９に表示した後（ＳＴ７１５）、電話帳名称と拠点番号を削除した番号とを着信履歴として着信履歴登録テーブルに登録して（ＳＴ７０７）、処理を終了する。
【００９７】
図４に示す電話帳テーブルにおいては、”２０１”と一致する電話帳データが、「電話帳名称１：田中英夫」に登録されている。このため、ＩＰ電話１０２は、この電話帳名称である「田中英夫」を表示部３０９に表示した後、この「田中英夫」と”２０１”とを着信履歴データとして着信履歴登録テーブルに登録して処理を終了する（ＳＴ７１５、ＳＴ７０７）。
【００９８】
ＳＴ７１６で発信番号の拠点番号が同一でない場合、あるいは、ＳＴ７１７で拠点局番を削除した番号においても電話帳登録テーブルに一致する電話帳データが存在しない場合、ＩＰ電話１０２は、図８（ｂ）に示すように、”ＩＮＶＩＴＥリクエスト”から抽出した発信番号”９０１２０１”を表示部３０９に表示した後（ＳＴ７２０）、この発信番号”９０１２０１”を着信履歴データとして着信履歴登録テーブルに登録して（ＳＴ７０７）、処理を終了する。
【００９９】
図９は、このような着信履歴作成処理により本実施の形態に係るＩＰ電話１０２のメモリ３０４上の着信履歴登録テーブルに登録される着信履歴データの一例を示す図である。
【０１００】
着信履歴テーブル内の各着信履歴データは、履歴番号と履歴名称とを有する。履歴番号には、着信履歴作成処理で作成された番号が登録される。この履歴番号においては、発信番号における拠点番号が同一の場合には拠点番号が省略され、市外局番が同一の場合には市外局番が省略されている。すなわち、発信番号が”９０１２０１”の場合には拠点番号”９０１”が省略され、発信番号が”０３１２３４５６７８”である場合には”０３”が省略される。
【０１０１】
このように本実施の形態に係るＩＰ電話によれば、発信番号から発信側の電話装置が同一グループ網外に設置されている外部電話１１１又は１１２であることを検出すると、発信番号の先頭に発信プレフィックス番号”０”を付与して着信履歴データを作成するので、オフネット発信の際に特定の発信プレフィックス番号”０”を付加してダイアルするＩＰ電話においても、発信可能な着信履歴を作成することができる。
【０１０２】
また、発信番号から発信側の電話装置が同一グループ網外で、かつ、同一市内に設置されている外部電話１１２であることを検出すると、発信番号から市外局番”０３”を削除すると共に先頭に発信プレフィックス番号”０”を付与して着信履歴データを作成するので、オフネット発信の際に特定の発信プレフィックス番号”０”を付加してダイアルするＩＰ電話において、同一市内の発信先に対して市外局番を省略して発信可能な着信履歴を作成することができる。
【０１０３】
さらに、発信番号から発信側の電話装置が同一グループ網内に設置されているＩＰ電話１０２〜１０６であることを検出すると、発信番号を着信履歴データとするので、オンネット発信の際にはそのままダイアルするＩＰ電話においても、発信可能な着信履歴を作成することができる。
【０１０４】
さらに、発信番号から発信側の電話装置が同一グループ網内で、かつ、同一拠点内に設置されているＩＰ電話１０２であることを検出すると、発信番号から拠点番号”９０１”を削除して着信履歴データを作成するので、オンネット発信の際にはそのままダイアルするＩＰ電話において、同一拠点の発信先に拠点番号を省略して発信可能な着信履歴を作成することができる。
【０１０５】
特に、本実施の形態に係るＩＰ電話によれば、着信履歴データと予め登録された電話帳データとを照合し、一致する電話帳データがあれば、当該電話帳データに対応して登録された電話帳名称を当該着信履歴データの一部に追加するので、着信履歴を利用して発信する際、電話帳名称を確認しながら発信することができる。
【０１０６】
また、着信時に、電話帳データに一致するものがある場合は電話帳名称を含む着信履歴データを表示部３０９で表示する一方、一致するものがない場合は、”ＩＮＶＩＴＥリクエスト”から抽出した発信番号を表示するので、電話帳データが登録されている発信先からの着信であるか否かを一見して判断することができる。
【０１０７】
本発明は、当業者に明らかなように、上記実施の形態に記載した技術に従ってプログラムされた一般的な市販のデジタルコンピュータおよびマイクロプロセッサを使って実施することができる。また、当業者に明らかなように、本発明は、上記実施の形態に記載した技術に基づいて当業者により作成されるコンピュータプログラムを包含する。
【０１０８】
また、本発明を実施するコンピュータをプログラムするために使用できる命令を含む記憶媒体であるコンピュータプログラム製品が本発明の範囲に含まれる。この記憶媒体は、フロッピー（Ｒ）ディスク、光ディスク、ＣＤＲＯＭ及び磁気ディスク等のディスク、ＲＯＭ、ＲＡＭ、ＥＰＲＯＭ、ＥＥＰＲＯＭ、磁気光カード、メモリカードまたはＤＶＤ等であるが、特にこれらに限定されるものではない。
【産業上の利用可能性】
【０１０９】
本発明に係る着信履歴作成方法及びＩＰ電話装置によれば、ＩＰ電話装置において、発信者情報からオンネット通信にもオフネット通信にも発信可能な着信履歴を作成することができ、ＩＰ電話の操作性能を高めることができる点で有用である。
【図面の簡単な説明】
【０１１０】
【図１】本発明の一実施の形態に係るＩＰ電話が適用されるＩＰ電話システムのネットワークの構成を示す図
【図２】上記実施の形態に係るＩＰ電話との通信を制御するＶｏＩＰサーバの構成を示すブロック図
【図３】上記実施の形態に係るＩＰ電話の構成を示すブロック図
【図４】上記実施の形態に係るＩＰ電話のメモリに格納される電話帳登録テーブル内の電話帳データの一例を示す図
【図５】上記実施の形態に係るＩＰ電話がＬＡＮ上の他のＩＰ電話から着信を受けた場合の動作について説明するためのシーケンス図
【図６】上記実施の形態に係るＩＰ電話及びＶｏＩＰサーバが出力又は転送する”ＩＮＶＩＴＥリクエスト”のメッセージの構成を説明するための図
【図７】上記実施の形態に係るＩＰ電話装置における着信履歴作成処理について説明するためのフロー図
【図８】上記実施の形態に係るＩＰ電話の表示部の表示の一例を示す図
【図９】上記実施の形態に係るＩＰ電話のメモリ上の着信履歴登録テーブルに登録される着信履歴データの一例を示す図
【符号の説明】
【０１１１】
１０１〜１０６  ＩＰ電話装置（ＩＰ電話）
１０７  ＷＡＮ
１０８  ＬＡＮ
１０９  ゲートウェイ
１１０  ＰＳＴＮ
１１１，１１２  外部電話
１１３  ＶｏＩＰサーバ
２０１  ＬＡＮ制御部
２０２  ＶｏＩＰプロトコル制御部
２０３  ＶｏＩＰ接続制御部
２０４  メモリ
３０１  ＬＡＮ制御部
３０２  ＶｏＩＰプロトコル制御部
３０３  アプリケーション制御部
３０４  メモリ
３０５  音声制御部
３０６  表示制御部
３０７  キー制御部
３０８  音声入出力装置
３０９  表示部
３１０  キーパッド
【図１】
2005191730.tif 000003
【図２】
2005191730.tif 000004
【図３】
2005191730.tif 000005
【図４】
2005191730.tif 000006
【図５】
2005191730.tif 000007
【図６】
2005191730.tif 000008
【図７】
2005191730.tif 000009
【図８】
2005191730.tif 000010
【図９】
2005191730.tif 000011